(57)【要約】【課題】田畑に出没し農作物、果実を食荒らす害鳥獣類を感知センサーを使用し、侵入しようとすれば自動的に電子回路が作動し爆音とそこに出没る動物が嫌う臭いを拡散して威嚇し侵入を防止する威嚇防除自動装置を提供する。【解決手段】感知センサーを使用し害動物  猿、熊、猪、鹿、ハクビシン、害鳥等を農作物、果実に近付いて来ると感知センサーが自動的に作動し噴射火薬の導火線に点火用ヒーターで着火し爆音管に発射し爆音響と嫌臭拡散層や爆竹花火等が炸裂し食荒らしを防止するセンサー管理害鳥獣威嚇防除自動装置である。【選択図】図５
2014094002.tif 000002
【特許請求の範囲】
【請求項１】
感知センサーに電子回路とリレーを組込み器具設置板の上部に発射台を中心に点火用ヒーターとバッテリーを施し筒管に爆音管を設け害鳥獣が出没すると紙管に噴射火薬と爆発火薬に導火線を施した先端に嫌臭拡散層や爆竹花火を挿着可能したものを自動的に発射できる自動威嚇防除装置である。
【発明の詳細な説明】
【技術分野】
【０００１】    本発明は、農作物、果実等を食荒らす害鳥獣を感知センサーを使用し紙管に噴射火薬と爆発火薬に導火線を設け嫌臭拡散層と爆竹層を備いた物を自動的に放し威嚇防除装置に関するものである。
【技術の背景】
【０００２】    山林の伐採等や気象の影響による木の実の減少で熊や猿が出没するようになり又、放射能の影響で猪の捕獲を廃めた地域も有り、鹿、猪、ハクビシン等が加わり春から新芽、花芽から喰い始まり野菜から果実まで被害が増加し、食い止めようと電気柵やネットを張り巡らすのも、維持管理が容易でなく山村では、農家の死活問題になっている、最近では街近辺まで猿、熊、猪、ハクビシン等が出没するようになり対策が急がれている。
【発明の開示】
【発明が解決しようとする課題】
【０００３】    現在、日本の田畑の農作物、果実を食荒らす害鳥獣は、猿、熊、鹿、猪、ハクビシン、害鳥等が出没し悪さをするもので、その中でも学習能力が高い猿、カラス等の威嚇防除が大変難しく、鹿は田畑の作物や森林の移植した新芽や皮を食荒らし、熊  ハクビシン、猿は嗅覚が優れており果実や作物の熟したもの食荒し、熊にも遭遇する機会も多くなり事故にも繋がる、そんな事から感知センサーを使用し無人でも出没する害鳥獣を音と臭いで威嚇防除し安全と収穫をするもの。
【問題を解決するための手段】
【０００４】  動物には獣道があり通る道が決まっているものと、そうでもない者や猿は遠い所から様子を伺い人が居なければ、何処からでも侵入する者もいるから、その辺を考慮して設置できる器具が必要になる。
【０００５】  害鳥獣類の中には、学習能力が高い者が沢山いるので威嚇する時間的に感覚が不規則にし出没した時に作動し脅かす事により大きな衝撃を与える事ができる。
【０００６】  感知センサーに電子回路とリレーを施し点火用ヒーターと各器具作動するバッテリー設け害鳥獣が田畑に出没すると感知センサーで可動し自動的に点火用ヒーターに電流にて導火線に点火し筒管を通しＴ型爆音管に飛ばし破裂させ爆音と臭いで威嚇防除するもの。
【０００７】  紙管に噴射火薬と爆発火薬を充填し導火線を施しその先端に嫌臭拡散層を持つものと紙管に噴射火薬と爆発火薬に導火線を施した物に、別の紙管に嫌臭拡散層と爆竹花火層を持つ物を挿着して使用できる為に、そこに出没する動物の嫌う臭いを使い分けできる。
【０００８】  嫌臭拡散層をロケット花火の先端に挿着し害鳥獣の居る所に発射させる事も出来る例として猿が嫌う臭いは火事の時に発生するひなくさい焦げ臭いものとか、猪が嫌うコールタールや石油ニンニク等の臭い、鹿には狼の尿の臭い、熊にもコールタール、唐辛子のイキスで害鳥にもこうかがある。
【０００９】  鳥獣類には、嫌う臭いと気にしない臭いがあるから、出没する鳥獣により異なる為に何種類かの嫌う臭いを製造し嫌臭拡散層を選んで使用出来る。
【発明の効果】
【００１０】    本発明の、害鳥獣類に紙管に噴射花火と爆発火薬に導火線を施した先端に嫌臭拡散層を一体化したものと、嫌臭拡散層と爆竹花火層と別の紙管にしたものを爆発火薬を充填されてた紙管の先端に挿着できるために出没する鳥獣にあわせて選択できるのでるので便利に使用できる。
又、センサー管理害鳥獣自動威嚇防除装置をすることで、無人で管理ができ人出が係らず安心して他の作業に力を注げる。
【発明を実施するための最良の形態】
【００１１】      以下、本発明の実施の形態について図面を参照にして説明する。
図１の、紙管Ａ（３６）の内部に噴射火薬（３７）と爆発火薬（３８）に導火線（３９）を充填した物を噴射花火と名付け、その紙管Ｂ（４０）の内部に嫌臭拡散層（４１）を設け噴射花火の先端に挿着受け部（４２）で挿着連結して使用するもの。【００１２】      図２は、紙管Ａ（３６）の内部に導火線（３９）と噴射火薬（３７）と爆発火薬（３８）と先端に嫌臭拡散層（４１）を一つの紙管に合体する事により威嚇防除に何倍もの威力を発揮できるようになった。【００１３】    図３は、紙管Ａ（３６）の内部に噴射火薬（３７）と導火線（３９）を充填し爆竹花火（４４）の導火線（４３）を導火線（３９）に接続し確実に連続爆破するようにし威嚇に威力が加わり効果が発揮できるようになった。【００１４】    図４は、器具設置板（１）に発射台（１２）を設け、その上部に噴射用花火支持枠（１３）を設け発射口（３５）設け発射台（１２）の上部に噴射花火を何段にも重ねる事ができる為に害鳥獣の出没にも無人でも対応できる、導火線（３９）が確実に点火用ヒーター（１８）で点火できるようにヒーター保持具（１７）で保持し導火線誘導（１６）を施し前方に飛ばしたい時に使用できるロケット花火台として竹ヒゴ台（１９）に竹ヒゴ支持具（２０）も設けてある。【００１５】    図５は、器具設置板（１）を平面から視たもの物で、背面から竹ヒゴ台（１９）を施し、その前に点火用ヒーター（１８）を設置し、その前に導火線誘導具（１６）の前に発射台（１２）を設け、その前方に筒支持台（４）に筒管（５）を設置し筒支持具（６）で保持し発射台の前に発射開口（１４）を設け筒管先端に筒接続具（１５）にＴ型爆音管（７）を挿着し爆音管吊り具（２４）に爆音管吊り支持紐（２６）で吊着しＴ型爆音管に音響孔（２８）を設け筒管の上部にヒーター用バッテリー（３２）とセンサー用バッテリ（３３）をバッテリ支柱（９）保持し、器具設置板の４隅に脚足支持具（２）で支持し感知センサー（２９）とセンサー回路ボックス（３０）と点火用ヒーターを接続するセンサー用配線（３１）で構成したもの。【００１６】    図６は、器具設置板を中心に脚足支持具（２）に脚足（３）を挿着し正面カバー（２１）で覆いその上部に換気孔（２７）設け左右を防水カバー（２２）で覆い正面にＴ型爆音管（７）を挿着し爆音管吊り支持紐（２６）で吊着しセンサー用支柱（３４）にセンサー回路ボックス（３０）を立設し前面に感知センサー（２９）を設置したもの。【００１７】    図７は、器具設置板（１）に脚足支持具（２）を四隅に固着し脚足（３）を挿着し器具設置板の上部に図４と図５で説明したものに正面カバー（２１）と背面カバー（２３）で覆い左右上部を防水カバー（２２）で囲い換気孔（２７）を正面と背面上部に設け爆音管吊り紐受け孔（２５）と爆音管吊り具（２４）に爆音管吊り紐（２４）を通し吊着して保持したもの。
【図面の簡単な説明】
【００１８】
【図１】  紙管の内部に火薬と、別の紙管に嫌臭拡散層の斜視図
【図２】  紙管の内部に３層仕組みを持った斜視図
【図３】  紙管の内部に噴射火薬と爆竹花火を表現した斜視図
【図４】  発射台に噴射花火を積み重ね左側面図
【図５】  器具設置板上部の器具を配置した平面図
【図６】  正面から視た外装図
【図７】  器具全体を視た左側面図
【符号の説明】
【００１９】  １    器具設置板                    ２３    背面カバー
２    脚足支持具                    ２４    爆音管吊り具
３    脚足                          ２５    爆音管吊り紐受け穴
４    筒支持台                      ２６    爆音管吊り支持紐
５    筒管                          ２７    換気孔
６    筒支持具                      ２８    音響孔
７    Ｔ型爆音管                    ２９    感知センサー
８    水抜き穴                      ３０    センサー回路ボックス
９    バッテリ支柱                  ３１    センサー用配線
１０    ヒーター用バッテリケース      ３２    ヒーター用バッテリ
１１    センサー用バッテリケース      ３３    センサー用バッテリ
１２    発射台                        ３４    センサー用支柱
１３    噴射用花火支持枠              ３５    発射口
１４    発射開口                      ３６    紙管Ａ
１５    筒接続具                      ３７    噴射火薬
１６    導火線誘導具                  ３８    爆発火薬
１７    ヒーター保持具                ３９    導火線
１８    点火用ヒーター                ４０    紙管Ｂ
１９    竹ヒゴ台                      ４１    嫌臭拡散層
２０    竹ヒゴ支持具                  ４２    挿着受け部
２１    正面カバー                    ４３    爆竹導火線
２２    防水カバー                    ４４    爆竹花火
【図１】
2014094002.tif 000003
【図２】
2014094002.tif 000004
【図３】
2014094002.tif 000005
【図４】
2014094002.tif 000006
【図５】
2014094002.tif 000007
【図６】
2014094002.tif 000008
【図７】
2014094002.tif 000009